【手続補正書】
【提出日】平成19年2月27日(2007.2.27)
【手続補正１】
【補正対象書類名】明細書
【補正対象項目名】発明の名称
【補正方法】変更
【補正の内容】
【発明の名称】メール処理方法及び該メール処理方法を用いた携帯電話機
【手続補正２】
【補正対象書類名】明細書
【補正対象項目名】特許請求の範囲
【補正方法】変更
【補正の内容】
【特許請求の範囲】
【請求項１】
メール機能を有する携帯電話機において、
メールの動作モードを起動するステップと、
受信メールの一覧を前記携帯電話機の表示画面に表示するステップと、
前記一覧から特定のメールを選択するステップと、
前記表示画面に前記特定のメールのヘッダ部分を含まずに本文のみを表示するステップと、を有するメール処理方法。
【請求項２】
前記特定のメールの本文のみが表示された場合に、上方又は下方へのスクロールキーが操作されると、前記特定のメールのヘッダ部分を表示することを特徴とする請求項１記載のメール処理方法。
【請求項３】
前記本文と前記ヘッダ部分との境界に境界線を挿入し、前記本文と前記ヘッダ部分との境界を明示することを特徴とする請求項２記載のメール処理方法。
【請求項４】
前記一覧には、メールアドレス又は電話番号と、題名又は題名の一部を表示することを特徴とする請求項１記載のメール処理方法。
【請求項５】
前記電話番号が電話帳に登録されている電話番号と一致し、さらに名前が電話帳に登録されている場合、前記名前のみを表示することを特徴とする請求項４記載のメール処理方法。
【請求項６】
メールの動作モードを起動する制御手段と、
受信メールの一覧を表示する表示手段と、
前記一覧から特定のメールを選択する選択手段と、を有し、
前記表示手段は、前記特定のメールのヘッダ部分を含まずに本文のみを表示することを特徴とする携帯電話機。
【請求項７】
前記表示手段は、前記特定のメールの本文のみが表示された場合に、上方又は下方へのスクロールキーが操作されると、前記特定のメールのヘッダ部分を表示することを特徴とする請求項６記載の携帯電話機。
【請求項８】
前記表示手段は、前記本文と前記ヘッダ部分との境界に境界線を挿入し、前記本文と前記ヘッダ部分との境界を明示することを特徴とする請求項７記載の携帯電話機。
【請求項９】
前記表示手段は、前記一覧にメールアドレス又は電話番号と、題名又は題名の一部を表示することを特徴とする請求項６記載の携帯電話機。
【請求項１０】
前記表示手段は、前記電話番号が電話帳に登録されている電話番号と一致し、さらに名前が電話帳に登録されている場合、前記名前のみを表示することを特徴とする請求項９記載の携帯電話機。
【手続補正３】
【補正対象書類名】明細書
【補正対象項目名】０００１
【補正方法】変更
【補正の内容】
【０００１】
【発明の属する技術分野】
本発明は、非音声情報通信モード（例えばｉモード）機能を有する携帯電話機におけるメール処理方法に関し、特にメールを開いたときに第１画面にメール本文のみが表示されるよう構成したものである。なお、非音声情報通信モードとは、デジタル携帯電話機を使用したオンラインデータサービスの動作モードのことで、センターに登録されているサイト（番組）接続サービスや、インターネット接続サービス、メッセージサービス、ｉモードメールなどが利用できるものである。
【手続補正４】
【補正対象書類名】明細書
【補正対象項目名】０００３
【補正方法】変更
【補正の内容】
【０００３】
【発明が解決しようとする課題】
本発明は、このような問題点を解決するためになされたもので、受信メールを開いたときに表示画面にメール本文のみが表示されるようにしたメール処理方法及び該メール処理方法を用いた携帯電話機を提供することを目的とするものである。
【手続補正５】
【補正対象書類名】明細書
【補正対象項目名】０００４
【補正方法】変更
【補正の内容】
【０００４】
【課題を解決するための手段】
本発明の請求項１記載の発明は、メール機能を有する携帯電話機において、メールの動作モードを起動するステップと、受信メールの一覧を前記携帯電話機の表示画面に表示するステップと、前記一覧から特定のメールを選択するステップと、前記表示画面に前記特定のメールのヘッダ部分を含まずに本文のみを表示するステップと、を有するメール処理方法としたものである。この構成により、特定のメールのヘッダ部分を含まずに本文をできるだけ早く読みたいというユーザの要望に応えることができる。
【手続補正６】
【補正対象書類名】明細書
【補正対象項目名】０００５
【補正方法】変更
【補正の内容】
【０００５】
本発明の請求項２記載の発明は、前記特定のメールの本文のみが表示された場合に、上方又は下方へのスクロールキーが操作されると、前記特定のメールのヘッダ部分を表示することを特徴とする請求項１記載のメール処理方法としたものである。この構成により、メール本文をできるだけ早く読みたいというユーザの要望に応えると共にヘッダ部分をいつでも見ることができる。
【手続補正７】
【補正対象書類名】明細書
【補正対象項目名】０００６
【補正方法】変更
【補正の内容】
【０００６】
また請求項３記載の発明は、前記本文と前記ヘッダ部分との境界に境界線を挿入し、前記本文と前記ヘッダ部分との境界を明示することを特徴とする請求項２記載のメール処理方法としたものである。この構成により、ユーザはメール本文とヘッダ部分との境界を簡単に知ることができる。
【手続補正８】
【補正対象書類名】明細書
【補正対象項目名】０００７
【補正方法】変更
【補正の内容】
【０００７】
また請求項４記載の発明は、前記一覧には、メールアドレス又は電話番号と、題名又は題名の一部を表示することを特徴とする請求項１記載のメール処理方法としたものである。この構成により、ユーザはメール本文以外の書誌的事項を一覧にて簡単に知ることができる。
【手続補正９】
【補正対象書類名】明細書
【補正対象項目名】０００８
【補正方法】変更
【補正の内容】
【０００８】
また請求項５記載の発明は、前記電話番号が電話帳に登録されている電話番号と一致し、さらに名前が電話帳に登録されている場合、前記名前のみを表示することを特徴とする請求項４記載のメール処理方法としたものである。この構成により、電話番号が電話帳に登録してある電話番号と一致し、名前が電話帳に登録されている場合には、ユーザは直ちに送信者名を知ることができる。
【手続補正１０】
【補正対象書類名】明細書
【補正対象項目名】０００９
【補正方法】変更
【補正の内容】
【０００９】
また請求項６記載の発明は、メールの動作モードを起動する制御手段と、受信メールの一覧を表示する表示手段と、前記一覧から特定のメールを選択する選択手段と、を有し、前記表示手段は、前記特定のメールのヘッダ部分を含まずに本文のみを表示することを特徴とする携帯電話機としたものである。この構成により、特定のメールのヘッダ部分を含まずに本文をできるだけ早く読みたいというユーザの要望に応えることができる。
【手続補正１１】
【補正対象書類名】明細書
【補正対象項目名】００１０
【補正方法】変更
【補正の内容】
【００１０】
また請求項７記載の発明は、前記表示手段は、前記特定のメールの本文のみが表示された場合に、上方又は下方へのスクロールキーが操作されると、前記特定のメールのヘッダ部分を表示することを特徴とする請求項６記載の携帯電話機としたものである。この構成により、メール本文をできるだけ早く読みたいというユーザの要望に応えると共にヘッダ部分をいつでも見ることができる。また請求項８記載の発明は、前記表示手段は、前記本文と前記ヘッダ部分との境界に境界線を挿入し、前記本文と前記ヘッダ部分との境界を明示することを特徴とする請求項７記載の携帯電話機としたものである。この構成により、ユーザはメール本文とヘッダ部分との境界を簡単に知ることができる。また請求項９記載の発明は、前記表示手段は、前記一覧にメールアドレス又は電話番号と、題名又は題名の一部を表示することを特徴とする請求項６記載の携帯電話機としたものである。この構成により、ユーザはメール本文以外の書誌的事項を一覧にて簡単に知ることができる。また請求項１０記載の発明は、前記表示手段は、前記電話番号が電話帳に登録されている電話番号と一致し、さらに名前が電話帳に登録されている場合、前記名前のみを表示することを特徴とする請求項９記載の携帯電話機としたものである。この構成により、電話番号が電話帳に登録してある電話番号と一致し、名前が電話帳に登録されている場合には、ユーザは直ちに送信者名を知ることができる。
【手続補正１２】
【補正対象書類名】明細書
【補正対象項目名】００２７
【補正方法】変更
【補正の内容】
【００２７】
【発明の効果】
以上説明したように本発明の請求項１記載の発明は、メール機能を有する携帯電話機において、メールの動作モードを起動するステップと、受信メールの一覧を前記携帯電話機の表示画面に表示するステップと、前記一覧から特定のメールを選択するステップと、前記表示画面に前記特定のメールのヘッダ部分を含まずに本文のみを表示するステップと、を有するメール処理方法としたものである。この構成により、特定のメールのヘッダ部分を含まずに本文をできるだけ早く読みたいというユーザの要望に応えることができるという効果を有する。
【手続補正１３】
【補正対象書類名】明細書
【補正対象項目名】００２８
【補正方法】変更
【補正の内容】
【００２８】
本発明の請求項２記載の発明は、前記特定のメールの本文のみが表示された場合に、上方又は下方へのスクロールキーが操作されると、前記特定のメールのヘッダ部分を表示することを特徴とする請求項１記載のメール処理方法としたものである。この構成により、メール本文をできるだけ早く読みたいというユーザの要望に応えると共にヘッダ部分をいつでも見ることができるという効果を有する。
【手続補正１４】
【補正対象書類名】明細書
【補正対象項目名】００２９
【補正方法】変更
【補正の内容】
【００２９】
また請求項３記載の発明は、前記本文と前記ヘッダ部分との境界に境界線を挿入し、前記本文と前記ヘッダ部分との境界を明示することを特徴とする請求項２記載のメール処理方法としたものである。この構成により、ユーザはメール本文とヘッダ部分との境界を簡単に知ることができるという効果を有する。
【手続補正１５】
【補正対象書類名】明細書
【補正対象項目名】００３０
【補正方法】変更
【補正の内容】
【００３０】
また請求項４記載の発明は、前記一覧には、メールアドレス又は電話番号と、題名又は題名の一部を表示することを特徴とする請求項１記載のメール処理方法としたものである。この構成により、ユーザはメール本文以外の書誌的事項を一覧にて簡単に知ることができるという効果を有する。
【手続補正１６】
【補正対象書類名】明細書
【補正対象項目名】００３１
【補正方法】変更
【補正の内容】
【００３１】
また請求項５記載の発明は、前記電話番号が電話帳に登録されている電話番号と一致し、さらに名前が電話帳に登録されている場合、前記名前のみを表示することを特徴とする請求項４記載のメール処理方法としたものである。この構成により、電話番号が電話帳に登録してある電話番号と一致し、名前が電話帳に登録されている場合には、ユーザは直ちに送信者名を知ることができるという効果を有する。
【手続補正１７】
【補正対象書類名】明細書
【補正対象項目名】００３２
【補正方法】変更
【補正の内容】
【００３２】
また請求項６記載の発明は、メールの動作モードを起動する制御手段と、受信メールの一覧を表示する表示手段と、前記一覧から特定のメールを選択する選択手段と、を有し、前記表示手段は、前記特定のメールのヘッダ部分を含まずに本文のみを表示することを特徴とする携帯電話機としたものである。この構成により、特定のメールのヘッダ部分を含まずに本文をできるだけ早く読みたいというユーザの要望に応えることができるという効果を有する。
【手続補正１８】
【補正対象書類名】明細書
【補正対象項目名】００３３
【補正方法】変更
【補正の内容】
【００３３】
また請求項７記載の発明は、前記表示手段は、前記特定のメールの本文のみが表示された場合に、上方又は下方へのスクロールキーが操作されると、前記特定のメールのヘッダ部分を表示することを特徴とする請求項６記載の携帯電話機としたものである。この構成により、メール本文をできるだけ早く読みたいというユーザの要望に応えると共にヘッダ部分をいつでも見ることができるという効果を有する。また請求項８記載の発明は、前記表示手段は、前記本文と前記ヘッダ部分との境界に境界線を挿入し、前記本文と前記ヘッダ部分との境界を明示することを特徴とする請求項７記載の携帯電話機としたものである。この構成により、ユーザはメール本文とヘッダ部分との境界を簡単に知ることができるという効果を有する。また請求項９記載の発明は、前記表示手段は、前記一覧にメールアドレス又は電話番号と、題名又は題名の一部を表示することを特徴とする請求項６記載の携帯電話機としたものである。この構成により、ユーザはメール本文以外の書誌的事項を一覧にて簡単に知ることができるという効果を有する。また請求項１０記載の発明は、前記表示手段は、前記電話番号が電話帳に登録されている電話番号と一致し、さらに名前が電話帳に登録されている場合、前記名前のみを表示することを特徴とする請求項９記載の携帯電話機としたものである。この構成により、電話番号が電話帳に登録してある電話番号と一致し、名前が電話帳に登録されている場合には、ユーザは直ちに送信者名を知ることができるという効果を有する。